(57)【要約】【課題】ズーム速度の設定の際、メニュー画面に入って設定が必要であり、煩雑であった。【解決手段】ズーム操作部分が回動することで、ズーム速度の設定の切り替えを行う。【選択図】図１１
2017083497.tif 000002
【特許請求の範囲】
【請求項１】
ズームモータによって駆動される電動ズームレンズを固定もしくは着脱可能に備えた撮像装置において、前記撮像装置は前記電動ズームレンズのズーム操作を行うズーム操作手段を備え、前記ズーム操作手段は前記撮像装置を把持した際に把持した手の指によって操作可能な位置に配置され、
前記ズーム操作手段は撮像装置本体に対し回動可能な台座部に設けられ、前記台座部の回動角度を検知する角度検知手段を備え、
前記角度検知手段により検出した前記台座部の角度に応じて、前記電動ズームレンズの駆動速度にかかわる設定を切り替える制御手段を設けたことを特徴とする撮像装置。
【請求項２】
前記ズーム操作手段はつまみ部材を備え、前記つまみ部材は初期位置を中心にして往復運動可能であり、前記つまみ部材の初期位置からの移動方向検知手段と移動量検知手段を備え、
前記移動方向検知手段と前記移動量検知手段によって、前記つまみ部材の初期位置からの移動方向と移動量に応じて電動ズームレンズの駆動方向と駆動速度を制御する前記制御手段を備え、前記電動ズームレンズの駆動速度にかかわる設定とは、前記つまみ部材の移動量に応じて、駆動速度が一定速度である設定と、つまみ部材の移動量に応じて駆動速度が変化する設定であることを特徴とする請求項１に記載の撮像装置。
【請求項３】
前記ズーム操作手段はつまみ部材を備え、前記つまみ部材は初期位置を中心にして往復運動可能であり、前記つまみ部材の初期位置からの移動方向検知手段と移動量検知手段を備え、
前記移動方向検知手段と前記移動量検知手段によって、前記つまみ部材の初期位置からの移動方向と移動量に応じて電動ズームレンズの駆動方向と駆動速度を制御する前記制御手段を備え、
前記角度検知手段により検出した前記台座部の角度に応じて、
前記電動ズームレンズの駆動速度は少なくとも二種類の異なる速度での駆動を選択可能であることを特徴とする請求項１に記載の撮像装置。
【発明の詳細な説明】
【技術分野】
【０００１】
本発明は、ビデオカメラ等の動画撮影可能な撮像装置に関する。
【背景技術】
【０００２】
一般民生用で動画撮影が可能なビデオカメラ（以下、必要がなければ単にカメラという。）等では撮影中に望遠側から広角側へ、もしくは広角側から望遠側へと画角を変化させることができる様に変倍レンズを備え、変倍レンズを移動することにより撮影画角を変化させている（以下必要がなければズーム操作という）。
【０００３】
カメラには撮影しながらズーム操作ができるように、撮影把持状態で指が届く位置にズーム操作部材を配置している。特許文献１では、通常はズームの操作レバーの押し込み量によってズーム速度の調節を行うが、必要に応じて操作レバーの押し込み量にかかわらず、一定のズーム速度に固定するモードを選択することができる。上記モード選択は本体に付属しているスイッチにより切り替えが可能である。
【先行技術文献】
【特許文献】
【０００４】
【特許文献１】特開２０００−２８４１６５号公報
【発明の概要】
【発明が解決しようとする課題】
【０００５】
しかしながら、上記従来例では、どちらのモードになっているのか確認する際に、目視の為に被写体から目を離すこととなるため、画角から、被写体が外れる場合があるという問題点があった。
【課題を解決するための手段】
【０００６】
上記の課題を解決するために、本発明に係る撮像装置は、
ズームモータによって駆動される電動ズームレンズを固定もしくは着脱可能に備えた撮像装置において、前記撮像装置は前記電動ズームレンズのズーム操作を行うズーム操作手段を備え、前記ズーム操作手段は前記撮像装置を把持した際に把持した手の指によって操作可能な位置に配置され、前記ズーム操作手段は撮像装置本体に対し回動可能な台座部に設けられ、前記台座部の回動角度を検知する角度検知手段を備え、前記角度検知手段により検出した前記台座部の角度に応じて、前記電動ズームレンズの駆動速度にかかわる設定を切り替える制御手段を設けた事を第一の特徴としている。
【０００７】
前記第一の特徴を持つ撮像装置において、前記ズーム操作手段はつまみ部材を備え、前記つまみ部材は初期位置を中心にして往復運動可能であり、前記つまみ部材の初期位置からの移動方向検知手段と移動量検知手段を備え、前記移動方向検知手段と前記移動量検知手段によって、前記つまみ部材の初期位置からの移動方向と移動量に応じて電動ズームレンズの駆動方向と駆動速度を制御する前記制御手段を備え、前記電動ズームレンズの駆動速度にかかわる設定とは、前記つまみ部材の移動量に応じて、駆動速度が一定速度である設定と、つまみ部材の移動量に応じて駆動速度が変化する設定であることを第二の特徴としている。
【０００８】
前記第一の特徴を持つ撮像装置において、前記ズーム操作手段はつまみ部材を備え、前記つまみ部材は初期位置を中心にして往復運動可能であり、前記つまみ部材の初期位置からの移動方向検知手段と移動量検知手段を備え、前記移動方向検知手段と前記移動量検知手段によって、前記つまみ部材の初期位置からの移動方向と移動量に応じて電動ズームレンズの駆動方向と駆動速度を制御する前記制御手段を備え、前記角度検知手段により検出した前記台座部の角度に応じて、
前記電動ズームレンズの駆動速度は少なくとも二種類の異なる速度での駆動を選択可能である事事を第三の特徴としている。
【発明の効果】
【０００９】
本発明に係る撮像装置によれば、煩雑な設定操作を行うことなく、ズームの速度の切り替えを行う事が可能である。また、撮影者は突起を触ることで操作方向が確認できるため、被写体から目を離すことなく、現在の設定を確認することが可能である。
【図面の簡単な説明】
【００１０】
【図１】撮像装置の外観を示した前方斜視図
【図２】撮像装置の外観を示した後方斜視図
【図３】把持状態を示した斜視図
【図４】撮像装置のブロック図
【図５】ズームユニットの拡大斜視図
【図６】ズームダイヤルの斜視図
【図７】ズームスイッチ周辺の構造を示す斜視図
【図８Ａ】ズームスイッチの構造を示す平面図
【図８Ｂ】ズームスイッチの構造を示す透視図
【図９Ａ】ズームスイッチの構造を示す平面図
【図９Ｂ】ズームスイッチの構造を示す透視図
【図１０】ズーム部の分解斜視図
【図１１】ズームユニットの拡大斜視図
【図１２】ズームダイヤル回転部の分解斜視図
【図１３】ズームユニットの断面図
【図１４Ａ】ズームダイヤルの回転時の構造を示す平面図
【図１４Ｂ】ズームダイヤルの回転時の構造を示す平面図
【図１５】ズーム動作の切り替え制御のフロー図
【図１６Ａ】つまみ位置とズーム速度の相関線図
【図１６Ｂ】つまみ位置とズーム速度の相関線図
【発明を実施するための形態】
【００１１】
以下、本発明に掛かる撮像装置の好ましい形態について詳述する。
【００１２】
≪外観説明≫
図１は本実施形態の撮像装置の外観を示した前方斜視図である。図２は本実施形態の撮像装置の外観を示した後方斜視図である。説明においては被撮影者側をＺ軸プラス方向または前面とし、撮影者側をＺ軸マイナス方向または後方とする。左右に関しては被撮影者側から見て、右側をＸ軸プラス方向またはＲ側とし、左側をＸ軸マイナス方向またはＬ側とする。上下に関しては上側をＹ軸プラス方向または上面側とし、下方向をＹ軸マイナス方向または底面側とする。カメラ１は略直方形状の本体２を有し、前面側に鏡筒部４を備え、鏡筒部４はレンズ３を内包している。
【００１３】
本体２のＬ側の面２１の後方側固定部２１ａと後方側固定部２１ｂにはグリップベルト５が固定されている。グリップベルト５は主に布や革、ゴム等の可とう性の部材で構成されている。本体２の上面側には最大外形を形成する面２２ａがあり、光軸からＸ軸マイナス側には、面２２ａに対しＹ軸マイナス方向に低くなった面２２ｂが形成されている。面２２ｂの後方にはズームユニット３００を備えている。本体２の後方には背面２３を備えており、面２１と面２２ｂとのなす稜線の近傍に録画ボタン２３ａを備えている。
【００１４】
録画ボタン２３ａは一回押すと録画が開始し、再度押すことで録画が停止する。また背面２３にはタッチパネル付きＬＣＤ１１１を備えている。ＬＣＤ１１１は撮影画像と再生画像、各種情報の表示が可能である。図３にカメラ１の把持状態を示す。グリップベルト５と本体２の面２１で形成される空間から親指を除く、４本の指が挿通され、面２２を指先で把持できる。親指は後方側固定部２１ａの後方から回って背面２３を支える。撮影の際は人差し指でズームユニット３００を操作し、親指で録画ボタン２３ａを操作する。
【００１５】
≪本体動作説明≫
図４はカメラ１の構成を示すブロック図である。
【００１６】
まず、本実施例のレンズシステムを構成する要素を説明する。
【００１７】
被写体側から前玉レンズ群である、第一の固定レンズ群１０１と、変倍を行うための第二のレンズ群である変倍レンズ１０２と、光量を調節する絞り１０３と、第三の固定レンズ群１０４と、フォーカス補正機能とフォーカシングの機能を兼ね備えたフォーカスレンズ１０５で構成されている。このレンズシステムを透過した映像光は撮像素子１０６面上に結像され、光電変換により映像信号に変換される。
【００１８】
ＡＭＰ１０７は増幅器（またはインピーダンス変換機）、カメラ信号処理１０８はここで処理された映像信号はＡＭＰ１０９で規定レベルまで増幅され、液晶表示回路１１０で処理された後、画像表示部を構成するＬＣＤ１１１で撮影画像を表示する。
【００１９】
一方、ＡＭＰ１０７で増幅された映像信号は絞り制御回路１１２、ＡＦ（オートフォーカス）評価値処理回路１１５（以下ＡＦ評価値処理回路１１５という）に送られる。絞り制御回路１１２では、映像信号入力レベルに応じて、ＩＧドライバ１１３、ＩＧメータ１１４を駆動して絞り１０３を制御して光量調整を行っている。
【００２０】
ＡＦ評価値処理回路１１５では測距枠生成回路１１７からのゲート信号に応じて、測距枠内の映像信号の高周波成分のみを抽出し、処理を行っている。ＡＦマイコン１１６はＡＦ評価信号強度に応じてレンズの駆動制御、及び測距エリアを変更するための測距枠制御を行っている。またＡＦマイコン１１６はシステムコントロールマイコン１２２（以下シスコン１２２という）と通信しており、シスコン１２２がＡ／Ｄ変換等により読み込む、ズームスイッチ１２３の情報やＡＦマイコン１１６が制御するズーム時の変倍方向や焦点距離などの変倍動作情報を互いにやり取りしている。
【００２１】
ズームユニット３００はズームスイッチ１２３とズームダイヤル角度検知手段１２４を含んだ操作ユニットである。ズームダイヤル角度検知手段１２４によって、後述するズームダイヤル４００向きが検知され、この向きに応じてズーム速度が設定される。ズームスイッチ１２３からは、操作部材の移動距離に比例した電圧が出力される。ズーム操作の際には前記電圧値に応じてレンズの駆動がおこなわれる。
【００２２】
変倍レンズドライバ１１８、フォーカスレンズドライバ１２０はそれぞれＡＦマイコン１１６から出力される変倍レンズ１０２及びフォーカスレンズ１０５の駆動命令に従って駆動エネルギをレンズ駆動用モータに出力するためのである。変倍レンズモータ１１９、フォーカスレンズモータ１２１はそれぞれ変倍レンズ１０２及びフォーカスレンズ１０５を駆動する為のモータである。変倍レンズモータ１１９、フォーカスレンズモータ１２１はステッピングモータであるとして、モータの駆動方法を以下で説明する。
【００２３】
ＡＦマイコン１１６はプログラム処理により変倍レンズモータ１１９、フォーカスレンズモータ１２１の駆動速度を決定し、変倍レンズモータ１１９、フォーカスレンズモータ１２１の回転速度信号として、変倍レンズモータ１１９を駆動する変倍レンズドライバ１１８、フォーカスレンズモータ１２１を駆動するフォーカスレンズドライバ１２０に送る。
【００２４】
また、ＡＦマイコン１１６は変倍レンズモータ１１９、フォーカスレンズモータ１２１の駆動／停止命令、及び各モータの回転方向命令を変倍レンズドライバ１１８、フォーカスレンズドライバ１２０ に送っている。変倍レンズモータ１１９の駆動／停止信号、及び回転方向信号に関しては主として後述するズームスイッチ１２３の状態に応じて命令が行われる。フォーカスレンズモータ１２１の駆動／停止信号、及び回転方向信号に関してはＡＦ時及びズーム時にＡＦマイコン１１６内の処理で決定する駆動命令に従っている。
【００２５】
変倍レンズドライバ１１８とフォーカスレンズドライバ１２０は回転方向信号に応じて、４層のモータ励磁相の位相を順回転及び逆回転の位相に設定し、かつ受診した回転速度信号に応じて、４相のモータ励磁相の印可電圧を変化させながら出力することにより、変倍レンズモータ１１９とフォーカスレンズモータ１２１の回転方向と回転速度を制御しつつ、駆動／停止命令に応じて、変倍レンズモータ１１９、フォーカスレンズモータ１２１への出力をＯＮ ／ＯＦＦしている。
【００２６】
≪ＺＯＯＭユニットの構造≫
ズームユニット３００の説明を行う。図５は本体２の面２２ｂに埋設されたズームユニット３００部分の拡大斜視図である。
【００２７】
面２２ｂと連続した面で形成されたズームカバー３１０の略中央にはズームダイヤル４００を備えている。ズームダイヤル４００の体裁側は円形状の外形の一部に三角状の面４０２ｂが延設され、面４０２ｂの上面には円柱状の突起部４０２ａを備えている。ズームダイヤル４００の中央にはＺ方向に細長い矩形状のスライド穴４０１が形成されており、スライド穴４０１からはズームつまみ４１０のノブ部４１１が突出している。
【００２８】
図５においてノブ部４１１のＺ方向の寸法は前記スライド穴４０１のＺ方向の寸法に対し小さく、ノブ部４１１はスライド穴４０１のＺ方向に移動が可能である。
【００２９】
図６に、ズームダイヤル４００の内側からみた斜視図を示す。
【００３０】
ズームダイヤル４００は円筒状の外周リブ４０７を備えている。スライド穴４０１のＺ方向の中央付近の上部には円筒部４０２とさらに外形に近い位置に円筒部４０３を備えている。Ｚ軸方向には円筒部４０２と円筒部４０３を挟んで両側にボス４０４ａとボス４０４ｂが形成している。また、Ｘ方向でスライド穴４０１を挟んで円筒部４０３と反対側にはボス４０５が形成される。ズームダイヤル４００の中心を挟み外周リブ４０７上にピン４０６ａとピン４０６ｂが形成される。
【００３１】
図７に、ズームスイッチ４３０を操作する構造を斜視図で示す。
【００３２】
製品内側から見た斜視図である。ズームつまみ４１０はＺ軸方向に長方形のベース部４１０ａの中央に、Ｚ軸プラス方向にノブ部４１１を凸設している。また、ベース部４１０ａの中央にはＺ軸マイナス方向に向けて軸４１４を凸設している。軸４１４は根本が太く、先端が細い二段形状の軸形状である。軸４１４を挟んでＺ軸方向にはバネ当接リブ４１２ａとバネ当接リブ４１２ｂを備えている。
【００３３】
軸４１４からＸ軸マイナス方向に離れた位置にはＹ軸マイナス方向に開いたコの字形状の勘合リブ４１３ａが形成されている。ズームスイッチ４３０はＺ軸方向に長い直方体であり、ズームつまみ４１０と略平行に配置しており、後述するスイッチ基板４５０に実装されている。ズームスイッチ４３０にはＸ軸プラス方向にスイッチつまみ４３１が突出しており、スイッチつまみ４３１はＺ軸方向にスライド可能である。
【００３４】
前記ズームつまみの勘合リブ４１３ａは、スイッチつまみ４３１と係合している。トーションバネ４２０はコイル部４２０ａとコイルから延びた二本の腕、腕４２０ｂ、腕４２０ｃで構成されている。腕４２０ｂと腕４２０ｃはコイルから延びてＸ字状に交差してさらに長く伸びた腕であり、腕４２０ｂと腕４２０ｃの間にバネ当接リブ４１２ａとバネ当接リブ４１２ｂを挟んでいる。
【００３５】
図８Ａ、図８Ｂ、図９Ａ、図９Ｂに、ズームスイッチ４３０を操作する機構を示す。図８Ｂと図９Ｂは各々図８Ａと図９Ａの透視図になっている。図１０はズームダイヤル４００周辺の分解斜視図である。図８Ａ、図８Ｂはズームつまみ４１０のノブ部４１１がズームダイヤル４００のスライド穴４０１の中心にある状態である。
【００３６】
トーションバネ４２０のコイル部４２０ａにはズームダイヤル４００の円筒部４０３が挿通している。さらに、トーションバネ４２０の腕４２０ｂ、腕４２０ｃの間にはズームダイヤル４００の円筒部４０２が挿しこまれている。
【００３７】
ズームスイッチ４３０はスイッチ基板４５０に実装されている。スイッチ基板４５０は略半円状の外形をなしており、半円形状の直線部に平行で細長い矩形穴４５１ を備えており、矩形穴４５１にはズームつまみ４１０の軸４１４の先端部がスライド移動可能に遊貫している。また、スイッチ基板４５０は図示しないネジにてズームダイヤル４００に固定されている。
【００３８】
コイル部４２０はボス４０３に遊貫されることで位置がきまる。腕４２０ｂと腕４２０ｃは互いに軸４０２を挟持する方向に付勢力が発生している。この時腕４２０ｂと腕４２０ｃ の先端部の間隔は、バネ当接リブ４１２ａとバネ当接リブ４１２ｂの寸法より少し大きく設定されている。このため、ノブ部４１１はスライド穴４０１の略中央に保持される。
【００３９】
図９Ａ、図９Ｂは撮影者がノブ部４１１をＷＩＤＥ側に操作した場合の図である。
【００４０】
勘合リブ４１３ａがＷＩＤＥ側に移動するため、ズームスイッチ４３０のスイッチつまみ４３１も操作される。軸４１４がＷＩＤＥ側に移動するため、トーションバネ４２０の腕４２０ｂは移動するが、腕４２０ｃは円筒部４０２に当接しているため移動しない。腕４２０ｂは軸４１４に近づく方向に付勢力が大きくなり、撮影者が指を離すと、図９Ｂの状態に戻る。ＴＥＬＥ側に操作した場合は、腕４２０ｃに付勢力が働くことで指を離すと図９Ｂの状態になる。
【００４１】
図１０に示すように、上記構成にズーム下カバー５１０を取りつける。ズーム下カバー５１０を取りつける前に、トーションバネ４２０の脱落防止のために円筒部４０３にネジ４８１を取りつける、ネジ４８１の頭部は前述のトーションバネ４２０のコイル部４２０ａの内径より大きい。さらにスイッチ基板４５０をズームダイヤル４００のボス４０５にネジ４８０にて固定する。
【００４２】
ズーム下カバー５１０は外周に数か所の突起形状を設けた円形の板部材であり、中央部には厚み方向に円形状のボス部５１３を形成している。位置決め穴５１２ａと位置決め穴５１２ｂが前記ボス部５１３を挟んで外周部近傍に空いており、ズームダイヤル４００のピン４０６ａが位置決め穴５１２ａに挿通し、ピン４０６ｂが位置決め穴５１２ｂに挿通する。ネジ４８２とネジ４８３がズーム下カバー５１０に開いた穴５１１ａと穴５１１ｂを挿通し、ズーム下カバー５１０のボス４０４ａとボス４０４ｂと螺合する。
【００４３】
≪ＺＯＯＭダイヤルの回転構造≫
本発明のカメラはズームダイヤル４００を９０度回転する事が可能である。図５はズームダイヤルが第一向きに回転している時を示し、図１１はズームダイヤルが第二の向きに回転している時を示す。
【００４４】
以下にズームダイヤル回転部の構造を示す。
【００４５】
図１２は回転部に関連する部分の分解斜視図である。
【００４６】
金属の薄板を加工した板バネ９００には半円状に成形された当接部９０２を備えている。また、両端部には当接部９０２に対して９０度の曲げ加工を施した面を備え、そこには穴９０１ａ、穴９０１ｂを設けており。ネジ９０１ａ、ネジ９０１ｂにてカバー７００のボス７０１ａ、ボス７０１ｂに固定される。
【００４７】
回転検出基板８００には検出ＳＷ８１０と検出ＳＷ８２０が実装されている。回転検出基板８００には外形近傍に穴８０１ａ、穴８０１ｂ、穴８０１ｃと、回転検出基板８００の中央付近には穴８０２を備えている。段付きネジ６０４は前記穴８０２を挿通し、ズーム下カバー５１０のボス部５１３に固定される。さらにネジ６０１、ネジ６０２、ネジ６０３はそれぞれ、穴８０１ａ、穴８０１ｂ、穴８０１ｃを挿通し、カバー７００のボス７０２ａ、ボス７０２ｂ、ボス７０２ｃに螺合される。
【００４８】
図１３はズームユニットの断面図である。
【００４９】
回転検出基板８００とズーム下カバー５１０の固定を示す。段付きねじ６０４は頭部６０４ｃより一回り小さい段部６０４ａが回転検出基板８００の穴８０２に嵌り、その先にはネジ部６０４ｂを備えている。段部６０４ａの長さは、回転検出基板８００の厚さよりわずかに長くしており、段付きネジ６０４をズーム下カバー５１０に固定した際、ズーム下カバー５１０は回転検出基板８００に対し回動可能である。
【００５０】
≪ＺＯＯＭユニットの動き≫
図１４−Ａと図１４−Ｂに、ズームダイヤル４００の回転動作を示す。
【００５１】
ズーム下カバー５１０の外周部には円弧上の切り欠き５１４ａと切り欠き５１４ｂと半円状の突起部５１５を備えている。図１４−Ａではズームつまみ４１０のノブ部４１１がＺ軸方向にスライド操作が可能な位置となる。この時、切り欠き５１４ｂと板バネ９００の当接部９０２が係合している。この時、ズーム下カバー５１０の突起部５１５は検出ＳＷ８２０のレバー８２０ａを押しこみ、検出ＳＷ８２０の内部回路を接続状態にしている。
【００５２】
この状態から突起部４０２ａを矢印Ａの方向に９０度回動すると、ズームダイヤル４００が回転し、図１４−Ｂの状態となる。この時切り欠き５１４ａと板バネ９００の当接部９０２が係合している。この時、ズーム下カバー５１０の突起部５１５は検出ＳＷ８１０のレバー８１０ａを押しこみ、検出ＳＷ８１０の内部回路を接続状態にしている。
【００５３】
図１５に、ズームダイヤル４００の向きによるズーム動作の切り替え制御を示す。『電源ＯＮ』ｓ１後、『ＺＯＯＭダイヤル角度検知』ｓ２に移行し、検出ＳＷ８１０と検出ＳＷ８２０の状況を検知する。『検出ＳＷ８２０がＯＮ』ｓ３の場合は『可変速ＺＯＯＭに設定』ｓ５となり、『検出ＳＷ８１０がＯＮ』ｓ４の場合は『一定速ＺＯＯＭに設定』ｓ６となる。
【００５４】
ズームつまみ４１０の位置とズーム速度の関係を図１６Ａと図１６Ｂに示す。図１６Ａは可変速ＺＯＯＭの場合を示し、図１６Ｂは一定速ズームの場合を示す。
【００５５】
図１６Ａに示すつまみ位置とはズームつまみ４１０のノブ部４１１がズームダイヤル４００のスライド穴４０１の中央からの位置である。中央からＴＥＬＥ側、ＷＩＤＥ側ともに０．５ｍｍ以下であれば、ノブ部４１１が動いてもズームは動かない。これは、公差によるノブ部４１１の位置のバラつきや、ノブ部４１１に指で少し触っただけで画角が変化しない様にしているのである。
【００５６】
ＴＥＬＥ側、ＷＩＤＥ側ともにノブ部４１１が中央から０．５ｍｍ以上動くとズームが動き出し、２．５ｍｍまでは移動量に応じてズームのスピードが増していく。移動量が２．５ｍｍで最高速となり、３ｍｍ移動するとノブ部４１１はスライド穴４０１の端面に当接する。
【００５７】
図１６Ｂに示すつまみ位置とはズームつまみ４１０のノブ部４１１がズームダイヤル４００のスライド穴４０１の中央からの位置である。中央からＴＥＬＥ側、ＷＩＤＥ側ともに０．５ｍｍ以下であれば、ノブ部４１１が動いてもズームは動かない。これは、公差によるノブ部４１１の位置のバラつきや、ノブ部４１１に指で少し触っただけで画角が変化しない様にしているのである。
【００５８】
ＴＥＬＥ側、ＷＩＤＥ側ともにノブ部４１１が中央から０．５ｍｍ以上動くとズームが動き出す。移動量は最大３ｍｍだが、０．５ｍｍから３ｍｍの間ではズームスピードは任意の速度Ｂで一定である。
【００５９】
以上説明したように、ズームダイヤルを９０度回転することにより、ズーム速度を一定速と可変速を容易に選択することが可能となる。またズームダイヤル４００の突起部４０２ａの位置が変わることで、撮影者は突起を指で触れることで、目視の必要なく、現在の設定を確認できる。
【００６０】
以上、本発明をその好適な実施形態に基づいて詳述してきたが、例えば、本実施例ではズーム操作をスライド部材で行っているが、ある支点中心に回動するレバータイプのズーム操作でも良い。また、例えばズームダイヤルを回転することにより、ズーム速度の低速と高速の切り替えを行ってもよい。
【００６１】
本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６２】
１  カメラ、２  本体、３  レンズ、４  鏡筒部、５  グリップベルト、
２３ａ  録画ボタン、３００  ズームユニット、３１０  ズームカバー、
４００  ズームダイヤル、４０１  スライド穴、４０２  円筒部、４０２ａ  突起部、
４０２ｂ  面、４０３  円筒部、４０４ａ  ボス、４０４ｂ  ボス、４０５  ボス、
４０６ａ  ピン、４０６ｂ  ピン、４０７  外周リブ、４１０  ズームつまみ、
４１０ａ  ベース部、４１１  ノブ部、４１２ａ  バネ当接リブ、
４１２ｂ  バネ当接リブ、４１３ａ  勘合リブ、４１４  軸、４２０  トーションバネ、
４２０ａ  コイル部、４２０ｂ  腕、４２０ｃ  腕、４３０  ズームスイッチ、
４３１  スイッチつまみ、４５０  スイッチ基板、４５１  矩形穴、４８１  ネジ、
４８２  ネジ、４８３  ネジ、５１０  ズーム下カバー、５１１ａ  穴、５１１ｂ  穴、
５１２ａ  位置決め穴、５１２ｂ  位置決め穴、５１３  ボス部、５１４ａ  切り欠き、
５１４ｂ  切り欠き、５１５  突起部、６０１  ネジ、６０２  ネジ、６０３  ネジ、
６０４  段付きねじ、６０４  段付きネジ、６０４ａ  段部、６０４ｂ  ネジ部、
６０４ｃ  頭部、７００  カバー、７０１ａ  ボス、７０１ｂ  ボス、７０２ａ  ボス、
７０２ｂ  ボス、７０２ｃ  ボス、８００  回転検出基板、８０１ａ  穴、
８０１ｂ  穴、８０１ｃ  穴、８０２  穴、８１０ａ  レバー、８２０ａ  レバー、
９００  板バネ、９０１ａ  穴、９０１ａ  ネジ、９０１ｂ  ネジ、９０２  当接部、
１１６  ＡＦマイコン、１１３  ＩＧドライバ、１１４  ＩＧメータ、
８１０  検出ＳＷ、８２０  検出ＳＷ
【図１】
2017083497.tif 000003
【図２】
2017083497.tif 000004
【図３】
2017083497.tif 000005
【図４】
2017083497.tif 000006
【図５】
2017083497.tif 000007
【図６】
2017083497.tif 000008
【図７】
2017083497.tif 000009
【図８Ａ】
2017083497.tif 000010
【図８Ｂ】
2017083497.tif 000011
【図９Ａ】
2017083497.tif 000012
【図９Ｂ】
2017083497.tif 000013
【図１０】
2017083497.tif 000014
【図１１】
2017083497.tif 000015
【図１２】
2017083497.tif 000016
【図１３】
2017083497.tif 000017
【図１４Ａ】
2017083497.tif 000018
【図１４Ｂ】
2017083497.tif 000019
【図１５】
2017083497.tif 000020
【図１６Ａ】
2017083497.tif 000021
【図１６Ｂ】
2017083497.tif 000022